【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
a)  異なったタイプの複数のCNTを個別のナノチューブとして溶媒中に分散させて、第1の混合物を作製する工程;
b)  第1の混合物中の金属CNTと半金属CNTを、第1のジアゾニウム化学種を化学量論量未満の量にて使用して選択的に官能化して、選択的に官能化された金属CNTと半金属CNTおよび官能化されていない半導体CNTを含んだ第2の混合物を得る工程;
c)  第2の混合物中のCNTと第2のジアゾニウム化学種とを反応させて、第1の化学的特性を有する特異的に官能化された金属CNTと半金属CNT、および第2の化学特性を有する官能化された半導体CNTを含んだ第3の混合物を得る工程;および
d)  特異的に官能化された金属CNTと半金属CNTを、官能化により誘起された特異な化学的特性に基づいて、官能化された半導体CNTから分離できるよう、第3の混合物に対して少なくとも1回のクロマトグラフィー分離を行う工程;
を含む、CNTをタイプによって分離するための方法。
【請求項２】
CNTを界面活性剤溶液中に個別に分散させる、請求項1に記載の方法。
【請求項３】
CNTを界面活性剤水溶液中に個別に分散させる、請求項1に記載の方法。
【請求項４】
CNTを超酸媒体中に個別に分散させる、請求項1に記載の方法。
【請求項５】
超酸媒体が発煙硫酸である、請求項4に記載の方法。
【請求項６】
CNTが、SWNT、MWNT、二層カーボンナノチューブ、およびこれらの組み合わせ物からなる群から選択される、請求項1に記載の方法。
【請求項７】
第1のジアゾニウム化学種または第2のジアゾニウム化学種がジアゾニウム塩である、請求項1に記載の方法。
【請求項８】
第1のジアゾニウム化学種または第2のジアゾニウム化学種を、置換アニリンと亜硝酸アルキルからその場で形成させる、請求項1に記載の方法。
【請求項９】
第1の化学的特性により、クロマトグラフィーによる分離工程において、移動相に対してより高い親和性を有する官能化された半導体CNTと比較して、特異的に官能化された金属CNTと半金属CNTに、固定相に対するより高い親和性が付与される、請求項1に記載の方法。
【請求項１０】
第1の化学的特性により、クロマトグラフィーによる分離工程において、固定相に対してより高い親和性を有する官能化された半導体CNTと比較して、特異的に官能化された金属CNTと半金属CNTに、移動相に対するより高い親和性が付与される、請求項1に記載の方法。
【請求項１１】
少なくとも1回行われるクロマトグラフィー分離の少なくとも1回に対してフラッシュクロマトグラフィーが使用される、請求項１に記載の方法。
【請求項１２】
所定のタイプのCNTをバルク量にてもたらす、請求項１に記載の方法。
【請求項１３】
所定のタイプのCNTにて濃縮されたバルク量の混合物をもたらす、請求項１に記載の方法。
【請求項１４】
a)  異なったタイプの複数のCNTを個別のナノチューブとして溶媒中に分散させて、第1の混合物を作製する工程;
b)  第1の混合物中のCNTを少なくとも1種のジアゾニウム化学種で特異的に官能化して、官能化された金属CNTと半金属CNTおよび官能化された半導体CNTを含んだ第2の混合物を作製する工程、このとき第2の混合物中の官能化された金属CNTと半金属CNTが、第2の混合物中の官能化された半導体CNTとは化学的に異質となる、官能化により誘起された化学的特性を含む;および
c)  官能化された金属CNTと半金属CNTを、この化学的特性に基づいて、官能化された半導体CNTからクロマトグラフィー分離する工程;
を含む、CNTをタイプによって分離するための方法。
【請求項１５】
CNTを界面活性剤溶液中に個別に分散させる、請求項14記載の方法。
【請求項１６】
CNTを界面活性剤水溶液中に個別に分散させる、請求項14に記載の方法。
【請求項１７】
CNTを超酸媒体中に個別に分散させる、請求項14に記載の方法。
【請求項１８】
超酸媒体が発煙硫酸である、請求項17に記載の方法。
【請求項１９】
CNTが、SWNT、MWNT、二層カーボンナノチューブ、およびこれらの組み合わせ物からなる群から選択される、請求項１４に記載の方法。
【請求項２０】
ジアゾニウム化学種がジアゾニウム塩である、請求項１４に記載の方法。
【請求項２１】
ジアゾニウム化学種を、置換アニリンと亜硝酸アルキルからその場で形成させる、請求項１４に記載の方法。
【請求項２２】
金属CNTと半金属CNTが、クロマトグラフィーにより分離する工程において、官能化された半導体CNTと比較して、固定相に対してより高い親和性を有するよう特異的に官能化される、請求項１４に記載の方法。
【請求項２３】
金属CNTと半金属CNTが、クロマトグラフィーにより分離する工程において、官能化された半導体CNTと比較して、移動相に対してより高い親和性を有するよう特異的に官能化される、請求項１４に記載の方法。
【請求項２４】
クロマトグラフィー分離の少なくとも1回に対してフラッシュクロマトグラフィーが使用される、請求項１４に記載の方法。
【請求項２５】
所定のタイプのCNTをバルク量にてもたらす、請求項１４に記載の方法。
【請求項２６】
所定のタイプのCNTにて濃縮されたバルク量の混合物をもたらす、請求項１４に記載の方法。
【請求項２７】
a)  複数のCNTを個別のナノチューブとして溶媒中に分散させて、第1の混合物を作製する工程、このとき前記第1の混合物は、第1のタイプとCNTと第2のタイプのCNTを含む;
b)  前記第1の混合物に、第1のタイプのCNTを選択的に官能化するための、化学量論量の第1の反応性化学種を加えて、第1のタイプの官能化されたCNTと第2のタイプの官能化されていないCNTとを含んだ第2の混合物を得る工程;
c)  前記第2の混合物に、第2のタイプのCNTを官能化するための第2の反応性化学種加えて、第1のタイプの官能化されたCNTと第2のタイプの官能化されたCNTとを含んだ第3の混合物を作製する工程、このとき第1のタイプの官能化されたCNTが、第2のタイプの官能化されたCNTからの化学的な分離を可能にする、官能化によって誘起された化学的特性を含む;および
d)  第1のタイプの官能化されたCNTを、この化学的特性に基づいて、第2のタイプの官能化されたCNTから分離する工程;
を含む、CNTをタイプによって分離するための方法。
【請求項２８】
第1のタイプのCNTが、金属CNT、半金属CNT、およびこれらの組み合わせ物からなる群から選択され、第2のタイプのCNTが半導体CNTである、請求項27に記載の方法。
【請求項２９】
第1のタイプのCNTが半導体CNTであり、第2のタイプのCNTが、金属CNT、半金属CNT、およびこれらの組み合わせ物からなる群から選択される、請求項27に記載の方法。
【請求項３０】
第1と第2の反応性化学種の一方または両方がジアゾニウム化学種である、請求項２７に記載の方法。
【請求項３１】
化学的特性がある特定の溶媒中への抽出性である、請求項２７に記載の方法。
【請求項３２】
化学的特性が極性溶媒に対する親和性である、請求項２７に記載の方法。
【請求項３３】
化学的特性が無極性溶媒に対する親和性である、請求項２７に記載の方法。
【請求項３４】
分離する工程が抽出法を含む、請求項２７に記載の方法。
【請求項３５】
分離する工程がクロマトグラフィー法を含む、請求項２７に記載の方法。
【請求項３６】
クロマトグラフィー法がカラムクロマトグラフィーである、請求項35に記載の方法。
【請求項３７】
クロマトグラフィー法が、シリカゲル、アルミナ、フロリシル、およびこれらの組み合わせ物からなる群から選択される固定相を含む、請求項３５に記載の方法。
【請求項３８】
クロマトグラフィー法がフルオロ相カラムの使用を含む、請求項３５に記載の方法。
【請求項３９】
クロマトグラフィー法が金属含浸固定相を含む、請求項３５に記載の方法。
【請求項４０】
固定相に銀が含浸されている、請求項39に記載の方法。
【請求項４１】
a)  複数のCNTを個別のナノチューブとして溶媒中に分散させて、第1の混合物を作製する工程、このとき前記第1の混合物が、第1のタイプのCNTと第2のタイプのCNTを含む;
b)  第1の混合物中のCNTを少なくとも1種の反応性化学種で特異的に官能化して、第1のタイプの官能化されたCNTと第2のタイプの官能化されたCNTを含んだ第2の混合物を作製する工程、このとき第2の混合物中の第1のタイプの官能化されたCNTが、第2の混合物中の第2のタイプの官能価されたCNTからの化学的な分離を可能にする、官能化によって誘起された化学的特性を含む;および
c)  第1のタイプの官能化されたCNTを、この化学的特性に基づいて、第2のタイプの官能化されたCNTから分離する工程;
を含む、CNTをタイプによって分離するための方法。
【請求項４２】
a)  複数のCNTを個別のナノチューブとして溶媒中に分散させて、第1の混合物を作製する工程、このとき前記第1の混合物が、第1のタイプのCNTと第2のタイプのCNTを含む;
b)  第1の混合物中の第1のタイプのナノチューブと第1の反応性化学種とを反応させて、第2の混合物を作製する工程;
c)  第2の混合物中の第2のタイプのナノチューブと第2の反応性化学種とを反応させて、第1のタイプの官能化されたナノチューブと第2のタイプの官能化されたナノチューブを含んだ第3の混合物を作製する工程、このとき第1のタイプの官能化されたナノチューブが、第2のタイプの官能価されたナノチューブからの化学的な分離を可能にする、官能化によって誘起された化学的特性を有する;および
d)  第1のタイプの官能化されたナノチューブを、官能化によって誘起された化学的特性に基づいて、第2のタイプの官能化されたナノチューブから分離する工程;
を含む、CNTをタイプによって分離するための方法。
【請求項４３】
第1のタイプのCNTが、金属CNT、半金属CNT、およびこれらの組み合わせ物からなる群から選択され、第2のタイプのCNTが半導体CNTである、請求項４１に記載の方法。
【請求項４４】
第1と第2の反応性化学種の一方または両方がジアゾニウム化学種である、請求項４１に記載の方法。
【請求項４５】
化学的特性が極性溶媒に対する親和性である、請求項４１に記載の方法。
【請求項４６】
化学的特性が無極性溶媒に対する親和性である、請求項４１に記載の方法。
【請求項４７】
分離する工程がクロマトグラフィー法を含む、請求項４１に記載の方法。
【請求項４８】
a)  異なったタイプの複数のCNTを個別のCNTとして溶媒中に分散させて分散液を作製する工程;および
b)  個別のCNTと少なくとも１つの表面とを相互作用させる工程、このとき異なった電子バンドギャップの結果として、これらの異なったバンドギャップに基づいて前記CNTの分離が果たされるよう、表面が特異的にCNTと相互作用する;
を含む、CNTをタイプによって分離するための方法。
【請求項４９】
CNTの官能化、少なくとも1つの表面の官能化、およびこれらの組み合わせからなる群から選択される官能化を含む、請求項48に記載の方法。
【請求項５０】
CNTがSWNTを含む、請求項４８に記載の方法。
【請求項５１】
少なくとも1つの表面がクロマトグラフィー装置に連結されている、請求項４８に記載の方法。
【請求項５２】
分散させる工程が、イオン性界面活性剤、非イオン性界面活性剤、ポリマーラッピング化学種、およびこれらの組み合わせ物からなる群から選択される分散剤を含む、請求項４８に記載の方法。
【請求項５３】
分散させる工程が選択的であり、CNTと分散剤との特異な相互作用を含む、請求項52に記載の方法。
【請求項５４】
分離がさらに、この選択的な分散に基づいている、請求項53に記載の方法。
【請求項５５】
分散されたCNTが、バンドギャップに基づいた移動相とCNTとの特異な相互作用に基づいて、クロマトグラフィーカラムから異なった速度で溶離する、請求項４８に記載の方法。
【請求項５６】
分散されたCNTが、バンドギャップに基づいた固定相とCNTとの特異な相互作用に基づいて、クロマトグラフィーカラムから異なった速度で溶離する、請求項４８に記載の方法。
【請求項５７】
第１のタイプのＣＮＴが、金属ＣＮＴ、半金属ＣＮＴ及びそれらの混合物からなる群から選択され、第２のタイプのＣＮＴが、半導体ＣＮＴである請求項４２に記載の方法。
【請求項５８】
第１及び第２の反応性化学種の一方又は両方が、ジアゾニウム化学種である請求項４２に記載の方法。
【請求項５９】
前記化学的特性が極性溶媒に親和性のある請求項４２に記載の方法。
【請求項６０】
前記化学的特性が無極性溶媒に親和性のある請求項４２に記載の方法。